(57)【要約】【課題】画面操作を簡単かつ効率的に行うことのできるコントロールパネルを有する印刷機を提供することをその課題とする。【解決手段】画面Ｇ１の上部には左右方向に並んだメニューボタン５１が、画面右には上下方向に並んだタブボタン５２が配置され、画面中央部にも各種操作を行うボタンが配置されている。これらは全てタッチパネル式の操作ボタンとして構成される。  例えばこの画面Ｇ１を優先的に表示させるホーム画面として登録したい場合、タブボタン５２のいずれかを長押し（５秒位）する。そうするとこの画面がホーム画面として登録される。ホーム画面として登録が行われれば、例えば図４のような他の画面Ｇ２が表示されている場合、何も操作が行われずに所定時間（例えば約３０秒）経過したら、図３の画面Ｇ１に復帰するのである。【選択図】  図３
2014004756.tif 000002
【特許請求の範囲】
【請求項１】
給紙部と、該給紙部から供給される用紙を印刷可能な印刷部と、該印刷部にて印刷された用紙を排紙可能な排紙部と、印刷機の各種制御を行う制御部とを備えた印刷機に設けられ、印刷機の各種状態を複数の画面として表示可能なコントロールパネルを備えた印刷機において、
該制御部は、該コントロールパネルに表示される該複数の画面のうち、所望の画面を優先的に表示可能としたことを特徴とする印刷機。
【請求項２】
該所望の画面以外の該複数の画面のうち、少なくとも１つの画面には、該所望の画面のショートカットボタンが設けられていることを特徴とする請求１記載の印刷機。
【発明の詳細な説明】
【技術分野】
【０００１】
本発明は、各種状態を複数の画面として表示可能なコントロールパネルを有する印刷機に関するものである。
【背景技術】
【０００２】
印刷機の操作、設定においては各種の操作等があり、それに対応する状態を複数の画面として順次コントロールパネルに表示可能に構成されている。特許文献１には、タッチ方式のコントロールパネルについて、印刷状態画面と設定画面とを同時に表示可能とした印刷機の開示がある。
【先行技術文献】
【特許文献】
【０００３】
【特許文献１】特許第４７１１６３１号公報
【発明の概要】
【発明が解決しようとする課題】
【０００４】
これらの表示画面については、印刷機の多岐に渡る操作の都合上、多くの画面があり、表示させたい画面への操作が煩雑であるという問題があった。
【０００５】
本発明はこのような問題を解決するためになされたもので、その目的は、画面操作を簡単かつ効率的に行うことのできるコントロールパネルを有する印刷機を提供することである。
【課題を解決するための手段】
【０００６】
本発明は上記目的を達成するため、給紙部と、該給紙部から供給される用紙を印刷可能な印刷部と、該印刷部にて印刷された用紙を排紙可能な排紙部と、印刷機の各種制御を行う制御部とを備えた印刷機に設けられ、印刷機の各種状態を複数の画面として表示可能なコントロールパネルを備えた印刷機において、該制御部は、該コントロールパネルに表示される該複数の画面のうち、所望の画面を優先的に表示可能としたことを特徴とする。
【０００７】
また、本発明は、該所望の画面以外の該複数の画面のうち、少なくとも１つの画面には、該所望の画面のショートカットボタンが設けられていることを特徴とする。
【発明の効果】
【０００８】
本発明に係る印刷機によれば、印刷機の各種操作を簡単かつ効率的に行うことができ、迅速な印刷作業を実現することが可能となる。
【０００９】
また、ショートカットボタンにより、いつでも所望の画面を迅速に表示させることが可能となる。
【図面の簡単な説明】
【００１０】
【図１】本発明に係る印刷機の一実施形態の概略構成を示す図である。
【図２】制御部の構成を示すブロック図である。
【図３】コントロールパネルに表示される画面の一例である。
【図４】コントロールパネルに表示される画面の一例である。
【図５】コントロールパネルに表示される画面の一例である。
【発明を実施するための形態】
【００１１】
以下、本発明に係る実施の形態について図面を参照しながら説明する。なお、図１において、実質的に同様の構成、作用を有する部品には同じ参照符号を付してある。
【００１２】
図１に示す印刷機は、給紙部２０、印刷部３０及び排紙部４０を備えている。給紙装置２０は、フィーダーボード５を介して枚葉紙Ｐを印刷部３０に供給することができる。印刷部３０は、給紙装置２０から供給される枚葉紙Ｐを印刷することができ、複数の印刷ユニット（ここでは４台の印刷ユニット３０ａ〜３０ｄ）を備えている。また、排紙部４０は、印刷部３０にて印刷された印刷物Ｑを排紙することができる。この印刷機では、給紙装置２０から枚葉紙Ｐが印刷部３０に供給され、当該供給された枚葉紙Ｐが印刷部３０における各印刷ユニット３０ａ〜３０ｄにて印刷された後、当該印刷された印刷物Ｑが排紙部４０にて排紙される。
【００１３】
給紙部２０は複数の枚葉紙Ｐを収容することができるものであり、上端の枚葉紙Ｐから１枚ずつ引き出し、フィーダーボード５を介して枚葉紙Ｐを印刷部３０に向けて矢印Ｚ方向に搬送することができるものである。これにより、枚葉紙Ｐを印刷部３０に供給することができる。
【００１４】
印刷部３０の各印刷ユニット３０ａ〜３０ｄは、それぞれ版胴１、ゴム胴２及び圧胴３を主要構成要素の一組として構成されるものである。印刷ユニット３０ａにおける４ａは給紙胴であり、印刷ユニット３０ｂ〜３０ｄにおける４はいずれも渡し胴である。
【００１５】
各印刷ユニット３０ａ〜３０ｄにおいて、版胴１には印刷用の版（図示を省略）が配設される。この版には図示しないインキローラ群及び給水装置からインキ及び水が供給され、版に従ってインキがゴム胴２に転写される。そしてゴム胴２に転写されたインキがゴム胴２及び圧胴３に挟持されつつ搬送されてくる枚葉紙Ｐにさらに転写される。これにより、給紙部２０から供給される枚葉紙Ｐに対してそれぞれに設けられた版に対応して印刷を行うことができる。
【００１６】
排紙部４０は、搬送部４１及び収容部４２を備えている。この排紙部４０では、印刷ユニット３０ｄの圧胴３にて搬送されてくる印刷物Ｑは、先端部が搬送部４１の保持部（図示省略）に保持され、搬送部４１の図中略下側面に沿って搬送されて収容部４２に送られる。収容部４２は、搬送部４１にて搬送されてきた印刷物Ｑを収容することができる。なお、印刷機には後述のコントロールパネルＣが搭載あるいは接続されているが、図１では図示を省略している。
【００１７】
図２は本発明に係る制御部８０の構成を示す概略ブロック図であり、前述の給紙部２０、印刷部３０（３０ａ〜３０ｄ）、排紙部４０、印刷機の各種操作と状態の表示が可能なコントロールパネルＣ、制御部８０により構成されている。制御部８０は演算処理等を行うマイクロプロセッサ８１(シーケンサでもよい)、データ及び所定のプログラム（演算式あるいはテーブル等）を記憶するＲＯＭ８２、機械回転数等に関する種々の情報を記憶可能なＲＡＭ８３、マイクロプロセッサ８１と制御部８０外部に設けられた装置との間における各種信号のやりとりを仲介するインターフェイス８４等を用いて構成されている。
【００１８】
図３はコントロールパネルＣに表示される画面Ｇ１を示している。画面Ｇ１の上部には左右方向に並んだメニューボタン５１が、画面右には上下方向に並んだタブボタン５２が配置され、画面中央部にも各種操作を行うボタンが配置されている。これらは全てタッチパネル式の操作ボタンとして構成される。
【００１９】
例えばこの画面Ｇ１を優先的に表示させるホーム画面として登録したい場合、タブボタン５２のいずれかを長押し（５秒位）する。そうするとこの画面がホーム画面として登録される。ホーム画面として登録が行われれば、例えば図４のような他の画面Ｇ２が表示されている場合、何も操作が行われずに所定時間（例えば約３０秒）経過したら、図３の画面Ｇ１に復帰するのである。
【００２０】
このように、よく使う画面をホーム画面として登録しておけば、操作をしなくても所定時間が経過すればこの画面が表示され、操作性の向上を図ることができ、効率のよい、迅速な印刷作業を行うことができる。
【００２１】
なお、図３の画面Ｇ１をホーム画面として登録した状態で、画面Ｇ１のタブボタン５２を長押しした場合、ホーム画面登録が解除されるようになっている。また、画面Ｇ１をホーム画面として登録した状態で、図４の画面Ｇ２のタブボタン５２を長押しした場合、画面Ｇ２がホーム画面として登録されるようになっている。
【００２２】
なお、図３に示す画面Ｇ１は印刷作業における印刷枚数等を設定するカウンタ画面であり、図４に示す画面Ｇ２は版が巻回される版胴１の微調整を行う版見当画面である。よって、ホーム画面を２種類登録可能としておき、印刷機の運転状態において、他の画面で操作がされずに所定時間が経過したら版見当画面である画面Ｇ２に復帰し、印刷機の停止状態において、他の画面で操作がされずに所定時間が経過したらカウンタ画面である画面Ｇ１に復帰するようにしてもよい。
【００２３】
また、ホーム画面として登録したい所望の画面で前述と同様にタブボタン５２を長押しすると、ホーム絵文字５３が現れるようにしてもよい。現れたホーム絵文字５２はショートカットキーとしての機能を有し、例えば図５の画面Ｇ３の所望の位置に設置可能であり、このホーム絵文字５３を押すと、登録したホーム画面に復帰するのである。
【００２４】
尚、本発明は、前述の実施形態に限定されるものではなく、本発明の要旨を逸脱しない範囲で種々の変更が可能である。例えば、前述の実施形態では、表示画面を直接タッチして操作するタッチパネル式のコントロールパネルであったが、表示画面とは別に入力部を設けてもよい。また、前述の実施形態では、枚葉オフセット印刷機であったが、これに限定されず、複数の画面を表示可能なコントロールパネルを有するものであれば、グラビア印刷機やフレキソ印刷機のようなものであってもよい。
【産業上の利用可能性】
【００２５】
本発明に係る印刷機は、複数の画面を表示可能なコントロールパネルを有する印刷機において極めて有用である。
【符号の説明】
【００２６】
２０…給紙装置、３０…印刷部、４０…排紙部、５１…メニューボタン、５２…タブボタン、５３…ホーム絵文字、８０…制御部、Ｃ…コントロールパネル、Ｇ１〜Ｇ３…画面、Ｐ…枚用紙
【図１】
2014004756.tif 000003
【図２】
2014004756.tif 000004
【図３】
2014004756.tif 000005
【図４】
2014004756.tif 000006
【図５】
2014004756.tif 000007